(57)【要約】【課題】スイングしやすく打球の方向性が良いパター型ゴルフクラブを提供する。【解決手段】シャフト２の一端側にヘッド３を有しかつ他端側にグリップ４を有するパター型ゴルフクラブ１である。クラブの全質量が５１０〜６１０（ｇ）、かつ前記グリップ４の端面４ａとシャフトの軸中心線ＣＬとの交点Ｐを支点としたクラブの慣性モーメントＩｃを２．９×１０６　〜３．４×１０６　（ｇ・ｃｍ２　）とする。前記交点Ｐを支点としてクラブ１を吊り下げることにより、前記シャフトの軸中心線が、前記交点を通る垂直線に対して０．５〜２．０゜の角度θでヘッド３のトウとは反対側に傾くことを特徴とする。【選択図】　図６
2004135696.tif 000002
【特許請求の範囲】
【請求項１】
シャフトの一端側にヘッドを有しかつ他端側にグリップを有するパター型ゴルフクラブであって、
クラブの全質量が５１０〜６１０（ｇ）、かつ前記グリップの端面とシャフトの軸中心線との交点を支点としたグリップエンドでのクラブの慣性モーメントＩｃを２．９×１０６　〜３．４×１０６　（ｇ・ｃｍ２　）とするとともに、
前記交点を支点としてクラブを吊り下げることにより、前記シャフトの軸中心線が、前記交点を通る垂直線に対して０．５〜２．０゜の角度θでヘッドのトウとは反対側に傾くことを特徴とするパター型ゴルフクラブ。
【請求項２】
前記全質量Ｗが５３０〜６００（ｇ）であり、かつ前記慣性モーメントＩｃが３．０×１０６　〜３．３×１０６　（ｇ・ｃｍ２　）であることを特徴とする請求項１記載のパター型ゴルフクラブ。
【請求項３】
前記角度θが０．８〜１．８゜である請求項１又は２記載のパター型ゴルフクラブ。
【発明の詳細な説明】
【０００１】
【発明の属する技術分野】
本発明は、アベレージゴルファにとってスイングしやすくかつ方向性を安定させるのに役立つパター型ゴルフクラブに関する。
【０００２】
【従来の技術】
パター型ゴルフクラブには、いわゆるピン型、マレット型、Ｔ型など種々のタイプが知られている。これらのパター型ゴルフクラブは、力をいれてボールを打つのではなく、複雑な傾斜、芝目のグリーン上に置かれたボールを小さなカップを目標として打ち出すものである。このような観点より、パター型ゴルフクラブに要求される性能は、第１に構えやすいこと、第２にスイングしやすいこと、そして第３にボールをミスヒットしたときでも打球の方向性の悪化が最小限に抑えられることである。
【０００３】
発明者らは、ハンディキャップ、性別、身長又は体重などが異なる数多くのゴルファーを対象として、実際にパター型ゴルフクラブを使用して種々の実験を行った。その結果、構え易さを実現するためには、クラブの全質量を一定範囲に限定することが有効であるとの知見を得た。また、スイングのし易さは、パター型ゴルフクラブのいわゆるグリップエンドでのクラブの慣性モーメントを一定範囲に限定することが有効であることを知見した。
【０００４】
そして、さらに、多くのゴルファによるミスヒットの状況を調べてみると、その殆どがフェース面のスイートスポットよりもトウ側でボールを打撃していることが分かった。このため、インパクトの瞬間にフェース面が開き、右打ちゴルファの場合には、打球は目標ラインよりも右側に転がることが分かった。従って、多くのゴルファにとって、打球の方向性を安定させるためには、如何にスイートスポットでヒットさせるかが重要となる。
【０００５】
本発明は、以上のような問題点に鑑み案出なされたもので、クラブの全質量、グリップエンドでのクラブの慣性モーメントＩｃ及びクラブを吊り下げたときの垂直線に対するシャフトの軸中心線の傾きの角度θ等をそれぞれ一定範囲に規制することを基本として、スイングしやすくかつ打球の方向性を安定させるのに役立つパター型ゴルフクラブを提供することを目的としている。
【０００６】
なお下記特許文献１〜２では、フェースバランスのヘッドや、各部の重量を限定したヘッドが開示されるが、本発明の前記角度θについては触れられていない。
【０００７】
【特許文献１】
特公平７−１２１２８５号公報
【特許文献２】
特開平４−２３１９８０号公報
【０００８】
【課題を解決するための手段】
本発明のうち請求項１記載の発明は、シャフトの一端側にヘッドを有しかつ他端側にグリップを有するパター型ゴルフクラブであって、クラブの全質量が５１０〜６１０（ｇ）、かつ前記グリップの端面とシャフトの軸中心線との交点を支点としたグリップエンドでのクラブの慣性モーメントＩｃを２．９×１０６　〜３．４×１０６　（ｇ・ｃｍ２　）とするとともに、前記交点を支点としてクラブを吊り下げることにより、前記シャフトの軸中心線が、前記交点を通る垂直線に対して０．５〜２．０゜の角度θでヘッドのトウとは反対側に傾くことを特徴としている。
【０００９】
なお前記「交点」に関して、グリップの端面に空気抜きの孔等が設けられて事実上の交点が存しない場合、この孔を覆う仮想の端面を設定して前記交点を求める。また前記「シャフト」が、直線でない非直線部分を含む場合には、前記シャフトの軸中心線は、前記非直線部分を含まずにシャフトの主要な直線部から求めることとする。
【００１０】
また請求項２記載の発明は、前記全質量Ｗが５３０〜６００（ｇ）であり、かつ前記慣性モーメントＩｃが３．０×１０６　〜３．３×１０６　（ｇ・ｃｍ２　）であることを特徴とする請求項１記載のパター型ゴルフクラブである。
【００１１】
また請求項３記載の発明は、前記角度θが０．８〜１．８゜である請求項１又は２記載のパター型ゴルフクラブである。
【００１２】
【発明の実施の形態】
以下本発明の実施の一形態を図面に基づき説明する。
図１は、本実施形態のパター型ゴルフクラブ（以下、単に「クラブ」ということがある。）１の全体斜視図、図２はヘッド部分の拡大斜視図、図３のその平面図、図４はフェース面側から見た正面図をそれぞれ示している。図において、本実施形態のパター型ゴルフクラブ１は、シャフト２と、該シャフト２の一端側２Ａに固着されたヘッド３と、前記シャフト２の他端側２Ｂに設けられたグリップ４とを有する。
【００１３】
前記シャフト２は、金属材料又は繊維強化樹脂等により形成され、本例では内部を中空とした断面円形のパイプ状のものが用いられる。また前記ヘッド３は、本例では金属材料により構成されたトウ＆ヒールタイプのものが例示される。該ヘッド３は、構えた際にプレーヤーから最も遠ざかるヘッド先端部をなすトウ３Ａと、最もプレーヤーに近づくヒール３Ｂと、ボールをヒットするフェース３Ｃと、ヘッド上面をなすトップ部３Ｄと、このトップ部３Ｄに設けられかつトウ３Ａとヒール３Ｂとの間で上に向かってのびるシャフト２の一端側２Ａが固着されるホーゼル３Ｆと、前記トップ部３Ｄからヘッド後方にのびるバック部３Ｇとを有している。バック部３Ｇには、そのほぼ中央部に凹部Ｏが形成されるとともに、トウ３Ａ側及びヒール３Ｂ側には、厚さを大として重量をより多く配分した厚肉部５，５が形成される。この凹部Ｏ、厚肉部５の形状などを調節することにより、ヘッド３の重心位置を自在に設定できる。
【００１４】
前記グリップ４は、本例ではゴム、皮革、樹脂又はこれらの複合材からなり、前記シャフト２の他端側２Ｂに差し込まれ、例えば両面粘着テープなどを介してシャフト２と一体に固着されている。
【００１５】
本発明のクラブ１は、全質量が５１０〜６１０ｇ、かつ前記グリップ４の端面４ａとシャフト２の軸中心線ＣＬとの交点Ｐを支点としたグリップエンドでのクラブ１の慣性モーメントＩｃを２．９×１０６　〜３．４×１０６　（ｇ・ｃｍ２　）とする。クラブの振り易さの基準には、慣性モーメントが良く用いられる。しかし、慣性モーメントが同じクラブでも、その全質量が異なれば、それらのクラブはスイングのし易さに関して異なったフィーリングを持つ。またパター型ゴルフクラブに関しては、その全質量が大きいほど構えたときの安定性があるが、操作性は低下し易い。また全質量が大きくても、手元側が重くしてバランスを軽くとった設定では多くのゴルファが強い違和感を持つ。
【００１６】
このような観点より、本発明のクラブ１では、その全質量を前記の如く５１０〜６１０ｇ、特に好ましくは５３０〜６００ｇに規定した上で、グリップ４の端面４ａとシャフト２の軸中心線ＣＬとの交点Ｐを支点とした、いわゆるグリップエンドでのクラブの慣性モーメントＩｃを２．９×１０６　〜３．４×１０６　（ｇ・ｃｍ２　）、より好ましくは３．０×１０６　〜３．３×１０６　（ｇ・ｃｍ２　）に限定している。なお前記慣性モーメントＩｃは、図５に略示するように、前記交点Ｐを通りかつヘッド３のフェース３Ｃと平行な水平線（紙面に対して垂直）の周りの慣性モーメントとする。なお従来のパター型ゴルフクラブの全質量は、概ね４８０〜５００ｇ程度であり、前記慣性モーメントＩｃは、本発明の値よりも小さい。
【００１７】
種々の実験によると、前記全質量が５１０ｇ未満になると、安定性に欠けアドレスはもとよりスイングしづらくなり、逆に６１０ｇを超えると、平均的なアベレージゴルファの体力を前提とした場合には、操作（ストローク）しづらくなりやすい。また、前記慣性モーメントＩｃが、２．９×１０６　（ｇ・ｃｍ２　）未満であると、バランスが軽くなるためにストロークしづらく、ストロークがぶれるなど安定感に欠けるものとなる。逆に前記慣性モーメントＩｃが３．４×１０６　（ｇ・ｃｍ２　）を超えてしまうと、全質量を規制しても、ストローク時に重たく感じ、フィーリングも悪化する。
【００１８】
また本発明のヘッド１は、図６に示すように、前記交点Ｐを支点としてクラブを吊り下げることにより、前記シャフト２の軸中心線ＣＬが、交点Ｐを通る垂直線ＶＬに対して０．５〜２．０゜の角度θでヘッド３のトウ３Ａとは反対側に傾くことを特徴事項としている。
【００１９】
本発明のクラブ１は、シャフト２の軸中心線ＣＬが、ヘッド３のトウ３Ａと反対側に傾くため、クラブ１の重心が前記軸中心線ＣＬよりもトウ３Ａ側に位置している。一方、一般的なアベレージゴルファのパターストロークは、通常、背筋や首筋を中心とした回転運動になる。これは、例えば図７に略示するように、僅かながらもフェース３Ｃを開きながらバックスイングを行い、またボールＢのインパクトの瞬間にフェース３Ｃがスクエア（目標方向に対して直角）となり、その後、フェース３Ｃが徐々に閉じつつフォロースルーがとられている。このような一般的なストロークでは、ボールＢをフェース３Ｃのトウ寄りにずれてインパクトしやすいことが種々の実験の結果から確かめられている（図７には、このようなボールＢのインパクト状態を符号Ｂ’で示している。）。本発明のクラブ１では、フェース３Ｃのトウ側でヒットした場合でもフェースの開きを抑えることができ、打球の方向性が安定しうる。即ち、重心がトウ側にあるため、打点と重心とが近くなり易く、該重心を中心とした回転運動を生じさせる力が小さいものとなる。
【００２０】
発明者らは、鋭意研究を行ったところ、前述のようにクラブ１の全質量とグリップエンドでの慣性モーメントＩｃとを規制しつつ、さらにクラブ１の重心をトウ３Ａに寄せることで、上述のようなミスヒットを減じ、打球の方向性を安定化しうることを見い出した。そして、そのクラブ１の重心を規定する指標として、グリップ４の前記交点Ｐでクラブを吊り下げたときの前記角度θを０．５〜２．０゜とすることが重要であり、特に好適には０．８〜１．８゜とすることが好ましいことを知見した。
【００２１】
先ず前記シャフト２の軸中心線ＣＬが前記垂直線ＶＬよりもトウ側又は前記角度θが０．５゜未満であると、クラブ１の重心がヒール３Ｂ側に寄るため、ボールをフェース３Ｃのスイートスポットよりもトウ３Ａ側でミスヒットしたときの問題を解決できない。逆に前記角度θが２゜よりも大きくなると、ヘッドのコントロール性が悪くなり好ましくない。特に、重心と打点とが離れ易くなるため、シャフトを中心としたヘッドの回転運動が大きくなり、フェース面をスクエアに保ちにくい。
【００２２】
なお前記角度θは、フェース３Ｃの最もトウ側の端部であるトウ端点３Ａ１と、フェース３Ｃの最もヒール側の端部であるヒール端点３Ｂ１とを含む垂直面に、前記垂直線ＶＬ、軸中心線ＣＬをそれぞれ投影して測定する。なおトウ端点３Ａ１及びヒール端点３Ｂ１は、図４に示すように、クラブ１を規定のライ角αで水平面ＨＰにソールした状態で定めるとともに、各端点が高さ方向に連続する場合には、その中間位置で定める。
【００２３】
【実施例】
表１に示す仕様にてパター型ゴルフクラブを試作し、ハンディキャップ５〜１５の２０名のゴルファ（男性２０名）により、フィーリングと打球の方向性とについてそれぞれ比較した。テストの方法は次の通りである。
【００２４】
＜フィーリング＞
フィーリングについては、クラブを実際に構えたときの重さ、操作性、スイングのし易さなどを総合的に５点法により評価し、２０名の平均点を記した。数値が大きいほど良好である。
【００２５】
＜打球の方向性＞
打球の方向性については、各ゴルファにより、平坦なグリーン上で、５ｍ先のカップを狙ってパッティングを行い、ボールが停止した位置とカップとの左右のずれ量及び前後のずれ量を測定した。
テストの結果を表１に示す。
【００２６】
【表１】
2004135696.tif 000003
【００２７】
テストの結果、実施例のものは、比較例と比べて、フィーリングが良好であり、また打球の方向性についてもバラツキが少なく安定していることが確認できた。
【００２８】
【発明の効果】
上述したように、本発明のパター型ゴルフクラブは、クラブの全質量といわゆるグリップエンドでの慣性モーメントＩｃとを規定したことにより、フィーリングを向上できかつ操作性を高めうる。これは正確なストロークを提供するのに役立つ。またクラブを吊り下げたときの、シャフトの軸中心線が垂直線に対してなす角度θを一定範囲に規定したことにより、クラブの重心を最適な位置に設定でき、アベレージゴルファに多かったトウ側でのミスヒットに起因した打球のずれ量を低減しうる。よって、打球の方向性が安定する。これは、スコアを向上させるのに役立つ。
【図面の簡単な説明】
【図１】本発明の一実施形態を示すパター型ゴルフクラブの全体斜視図である。
【図２】その平面図である。
【図３】その正面図である。
【図４】その背面側から見た部分斜視図である。
【図５】パター型ゴルフクラブの慣性モーメントＩｃを説明する線図である。
【図６】本発明の実施形態を示す断面図である。
【図７】ヘッドのストローク中の軌跡を説明する平面図である。
【符号の説明】
１　パター型ゴルフクラブ
２　シャフト
３　ヘッド
３ａ　フェース面
３Ａ　トウ
３Ｂ　ヒール
３Ｃ　フェース
３Ｄ　トップ部
３Ｅ　ソール
３Ｆ　ホーゼル
３Ｇ　バック部
４　グリップ
ＶＬ　垂直線
ＣＬ　シャフトの軸中心線
【図１】
2004135696.tif 000004
【図２】
2004135696.tif 000005
【図３】
2004135696.tif 000006
【図４】
2004135696.tif 000007
【図５】
2004135696.tif 000008
【図６】
2004135696.tif 000009
【図７】
2004135696.tif 000010